(57)【要約】【課題】導体引出棒と電力ケーブルとの接続部の組付が簡単かつ接続部の周囲を覆って絶縁するゴムユニットの位置決めやその後の配置状態の確認が容易な気中終端接続箱を提供する。【解決手段】電力ケーブル同士を接続する気中終端接続箱１であって、両端部２ｂ，２ｃが夫々電力ケーブルに接続される導体引出棒２と、導体引出棒２の周囲を覆いかつ両端部２ｂ、２ｃを両端部３ｃ，３ｄから延出させた端末本体３とを備え、導体引出棒２の一方の延出された端部２ｃの周囲を端末部２ｄ近傍までエポキシ樹脂部材５で覆った構成としたものである。【選択図】図２
2007151298.tif 000002
【特許請求の範囲】
【請求項１】
電力ケーブル同士を接続する気中終端接続箱であって、両端部が夫々電力ケーブルに接続される導体引出棒と、前記導体引出棒の周囲を覆いかつ該導体引出棒の両端部を両端部から延出させた端末本体とを備え、前記導体引出棒の一方の延出された端部の周囲を端末部近傍までエポキシ樹脂部材で覆ったことを特徴とする気中終端接続箱。
【請求項２】
前記エポキシ樹脂部材が前記端末本体の内部にまで前記導体引出棒の周囲を覆うように延在していることを特徴とする、請求項１に記載の気中終端接続箱。
【請求項３】
前記導体引出棒の前記エポキシ樹脂部材で覆われている部分及び導体引出棒と電力ケーブルの導体との接続部及び電力ケーブルの導体を覆っている絶縁部材の前記接続部近傍を一体に覆って絶縁するゴムユニットを更に備えていることを特徴とする、請求項１又は請求項２に記載の気中終端接続箱。
【発明の詳細な説明】
【技術分野】
【０００１】
本発明は、電力ケーブル同士を接続する気中終端接続箱に関する。
【背景技術】
【０００２】
電力ケーブル同士を接続する気中終端接続箱として例えば、下端部に導体挿入口を有する導体引出棒と、導体引出棒の外周に設けられる絶縁筒と、絶縁筒の外周に設けられるポリマー被覆体とを有し、絶縁筒は導体引出棒の下方部位の外周部に設けられる大径の絶縁筒と導体引出棒の先端部を除く部分の外周部に設けられる小径の絶縁筒とを備えたポリマー套管（又は「ポリマー碍管」ともいう）がある。このポリマー套管は、大径の絶縁筒と小径の絶縁筒の連設部分に電界緩和用の埋込金具が埋設され、大径の絶縁筒の下端部に導体引出棒の端部に形成された導体挿入孔と連通されて電力ケーブル端末部のストレスコーンを受容するコーン状の受容口が設けられた構成を有している（例えば、特許文献１参照）。
【特許文献１】特開２００３−３０４６３２号公報（３〜４頁、図１）
【発明の開示】
【発明が解決しようとする課題】
【０００３】
ところで、上記ポリマー套管の導体引出棒の導体挿入孔と電力ケーブルの導体端末との接続は、予め電力ケーブルの端末部に配設した押圧装置を大径の絶縁筒の受容口に向けてバネ力により圧縮して電力ケーブルの導体端末を導体引出棒の導体挿入孔に挿入接続させると共にストレスコーンのコーン状部を絶縁筒の受容口の内壁面に押し付けるようにしているために接続構造が複雑かつ部品点数が多く施工性が悪い。更に、押圧装置のバネ力の調整が必要であり、取り付けに手間が掛かり作業性が悪い。
【０００４】
また、導体引出棒の導体挿入孔は絶縁筒の内部にあり、絶縁筒の内部にストレスコーンを押し込むために組み付けの後に導体引出棒と電力ケーブルの導体端末との接続部を目視により確認することが困難である。
【０００５】
本発明は上述の点に鑑みてなされたもので、導体引出棒と電力ケーブルとの接続部の組付が簡単かつ接続部の周囲を覆って絶縁するゴムユニットの位置決めやその後の配置状態の確認が容易な気中終端接続箱を供することを目的とする。
【課題を解決するための手段】
【０００６】
上記目的を達成するために本発明に係わる気中終端接続箱は、電力ケーブル同士を接続する気中終端接続箱であって、両端部が夫々電力ケーブルに接続される導体引出棒と、前記導体引出棒の周囲を覆いかつ該導体引出棒の両端部を両端部から延出させた端末本体とを備え、前記導体引出棒の一方の延出された端部の周囲を端末部近傍までエポキシ樹脂部材で覆ったことを特徴としている。
【０００７】
気中終端接続箱の端末本体の端部から延出されてエポキシ樹脂部材で覆われた導体引出棒の端部に一方の電力ケーブルの導体を接続する。この導体引出棒の端部は、電力ケーブルの導体に直接接続される。導体引出棒の端部と電力ケーブルの導体との接続を端末本体の外部で行うことで、接続部の組み付けが簡単となり、かつ接続部を目視により確認することができる。また、端末本体の他側の端部から延出された導体引出棒の他側の端部に他方の電力ケーブルを接続する。導体引出棒の他側の端部は、他方の電力ケーブルの導体に接続された導体固定端子に接続される。
【０００８】
また、本発明の請求項２に記載の気中終端接続箱は、請求項１に記載の気中終端接続箱において、前記エポキシ樹脂部材が前記端末本体の内部にまで前記導体引出棒の周囲を覆うように延在していることを特徴としている。
【０００９】
導体引出棒の延出部の周囲を被覆するエポキシ樹脂部材を端末本体の内部まで延在させて端末本体の電界を緩和して電界の集中を防止し端末本体の外面の絶縁性能を高めている。
【００１０】
また、本発明の請求項３に記載の気中終端接続箱は、請求項１又は請求項２に記載の気中終端接続箱において、前記導体引出棒の前記エポキシ樹脂部材で覆われている部分及び導体引出棒と電力ケーブルの導体との接続部及び電力ケーブルの導体を覆っている絶縁部材の前記接続部近傍を一体に覆って絶縁するゴムユニットを更に備えていることを特徴としている。
【００１１】
導体引出棒の延出部を覆っているエポキシ樹脂部材、導体接続棒と電力ケーブルの導体との接続部及び電力ケーブルの導体を被覆している絶縁部材の接続部近傍の周囲をゴムユニットにより一体に覆って接続部とその両側を絶縁する。導体引出棒と電力ケーブルの導体との接続部が端末本体から外部に位置していることにより、ゴムユニットの位置決めやその後の配置状態を目視により確認することができる。
【発明の効果】
【００１２】
本発明によると、気中終端接続箱の導体引出棒と電力ケーブルの導体とを端末本体の外部で接続することができ、接続部の組み付けが簡単かつ部品点数が低減されて作業性の向上及びコストの低減が図られると共に接続部を確実に接続することができる。更に接続部を目視により確認することができる。
【００１３】
また、導体引出棒の延出部の周囲を覆うエポキシ樹脂部材を端末本体の内部まで延在させて導体引出棒の周囲を覆うことで、端末本体の電界の集中を防止して端末本体の外面の絶縁性能を高めることができる。
【００１４】
また、導体引出棒と電力ケーブルの導体との接続部が端末本体から外部に位置していることで、接続部とその近傍の周囲を一体に覆って絶縁するゴムユニットの位置決めやその後の配置状態を目視により確認することができ、接続部及びその近傍を確実に絶縁することができると共に作業性の向上が図られる。
【発明を実施するための最良の形態】
【００１５】
以下、本発明の最良の実施形態を図面に基づいて詳細に説明する。
【００１６】
図１は、本発明に係わる気中終端接続箱の一側に電力ケーブルを接続した状態の側面図を示し、気中終端接続箱１は、導体引出棒２と、導体引出棒２を被覆する端末本体３と、端末本体３の下端部３ｄに設けられた取付金具４からなる。気中終端接続箱１は、導体引出棒２の上端部に例えば電力を供給する側の電力ケーブル３０が接続され、その接続部が後述するゴムユニットで覆われて絶縁され、更に金属管１８で覆われて保護されている。金属管１８と電力ケーブル３０との接続部は、防水テープ１９により密封されている。そして、気中終端接続箱１は、取付金具４が支持碍子５１を介して支持架台５２に設置されている。
【００１７】
図２は、図１に示す気中終端接続箱１の断面図を示す。導体引出棒２は、導電性を有する中実の金属棒で、端末本体３で覆われ、上端部２ｂ、下端部２ｃが端末本体３の上端部３ｃ、下端部３ｄから延出されている。下端部２ｃの端末部２ｄは、端面中央に電力ケーブル３０の導体端末を挿入接続するための導体挿入孔２ｅが形成されている。この導体引出棒２は、銅、アルミニウム、或いは銅合金、アルミ合金等により形成されている。
【００１８】
端末本体３は、例えばシリコーンゴム部材からなる套管で、例えば金型を用いて導体引出棒２の周囲に成形して設けられ、小径の円筒状をなす上部３ａと大径の円筒状をなす下部３ｂとが一体に形成される。上部３ａは、導体引出棒２の上端部２ｂを除く略上半分の周囲を覆っており、下部３ｂは、導体引出棒２の下端部２ｃを除く略下半分を覆っている（以下「小径円筒部３ａ」、「大径円筒部３ｂ」という）。この下部３ｂは、導体引出棒２の中央部２ａの略下半分の周囲を覆うエポキシ座５の周囲を覆っている。
【００１９】
エポキシ座５は、エポキシ樹脂部材からなり略矢尻形状をなしている。上部５ａは、上端が導体引出棒２の中央に向かって尖った円錐体をなし、下端が段差をなして円筒状に縮径して中央部５ｂに連設し、中央部５ｂは、上端から下端に向って拡径した略円錐体をなし、下部５ｃは、中央部５ｂの下端から段差をなして円筒状に縮径して下端部２ｃの周囲を端末部２ｄ近傍まで覆っている。このエポキシ座５は、導体引出棒２の周囲に密着して形成されている。
【００２０】
端末本体３の大径円筒部３ｂは、導体引出棒２の略下半分からエポキシ座５の中央部５ｂの後端まで同心的に覆っている。この大径円筒部３ｂは、エポキシ座５の上部５ａから中央部５ｂの下端までの長さよりも長く形成されており、小径円筒部３ａと階段状をなす連設部３ｅで連設されている。そして、小径円筒部３ａ、大径円筒部３ｂの外周面には傘状をなす襞部３ｆ，襞部３ｇが軸方向（長手方向）に沿って所定の間隔で多数形成されている。
【００２１】
そして、端末本体３の大径円筒部３ｂに導体引出棒２の略下半分の一部（略半分）の周囲を覆うように内在されているエポキシ座５の上部５ａ及び中央部５ｂにより電界緩和機構６が形成されている。この電界緩和機構６は、端末本体３の電界を緩和して電界の集中を防止し、外面の絶縁性能を高める機能を有している。
【００２２】
取付金具４は、端末本体３の大径円筒部３ｂの襞部３ｇよりも大径の円板とされ、中央に形成された孔４ａにエポキシ座５の下部５ｃが挿通され、孔４ａの周縁部に形成されたフランジ４ｂとこのフランジ４ｂの外側に同心的に形成されたフランジ４ｃがエポキシ座５の中央部５ｂの下端面と端末本体３の下端部３ｄの端面に埋設されて固定されている。取付金具４の周縁部近傍には支持碍子取付用のボルト挿通孔４ｄが周方向に沿って複数形成されている。
【００２３】
以下に図２に示した気中終端接続箱１を電力ケーブルに接続する手順について図３乃至図６により説明する。尚、図３乃至図６において図面の煩雑を避けるために気中終端接続箱１の一部とゴムユニット１１及び金属管１８を断面で示し、ハッチングを省略してある。
【００２４】
気中終端接続箱１は、図３に示すように取付金具４のボルト挿通孔４ｄ（図２）に支持碍子５１が取り付けられ、例えば導体引出棒２の上端部２ｂを上方に、下端部２ｃをした方にして支持架台５２に垂直に設置される。また、例えば電力を供給する側の電力ケーブル３０の端末に絶縁用のゴムユニット１１と保護用の金属管１８とを予め挿入して設けてある。電力ケーブル３０は、被覆としてのビニルシース３１及び絶縁部材３２の端末が剥ぎ取られて導体（心線）３３が裸出されている。
【００２５】
ゴムユニット１１は、導体引出棒２と電力ケーブル３０との接続部を絶縁するためのもので、円筒状の内部半導電層１２、内部半導電層１２を同心的に囲繞して被覆する絶縁ゴム層１３、絶縁ゴム層１３を同心的に囲繞する導電性ゴム層１４からなり円筒形状をなしている。ゴムユニット１１は、中心の挿通孔１１ａの内径がエポキシ座５の下部５ｃ、電力ケーブル３０の絶縁部材３２の外径よりも小径とされており、導体引出棒２と電力ケーブル３０との接続部に配置された後弾性力により縮径して前記接続部及びエポキシ座５の下部５ｃ、電力ケーブル３０の絶縁部材３２に密着可能とされている。
【００２６】
このゴムユニット１１は、挿通孔１１ａ内に挿入されている破線で示す拡径部材１５によりその弾性力に抗して電力ケーブル３０の外径よりも僅かに大径に拡径されている。拡径部材１５は、剛性を有する紐が螺旋状に巻回されて筒状をなして形成され、始端側の端末１５ａが内側を通してゴムユニット１１の一側端から延出されている。拡径部材１５は、端末１５ａを引き出すことにより前記始端側から解けてゴムユニット１１から引き出され、これに伴いゴムユニット１１がその弾性力により縮径する。
【００２７】
保護用の金属管１８は、ゴムユニット１１よりも僅かに大径かつ僅かに長い円筒形状をなし、一側の開口部１８ａの周縁部に全周に亘りフランジ１８ｂが形成され、他側端部１８ｃがテーパ状に縮径され開口部１８ｄが電力ケーブル３０の外径よりも僅かに大径とされている。フランジ１８ｂには図示しないボルト挿通孔が周方向に沿って複数形成されている。この金属管１８は、銅、アルミニウム等により形成されている。
【００２８】
次いで、気中終端接続箱１の導体引出棒２の端末部２ｄに形成されている導体挿入孔２ｅに電力ケーブル３０の導体３３の端末を挿入し、端末部２ｄをカシメ加工して電気的及び機械的に接続固定する。これにより、導体引出棒２の端末部２ｄと電力ケーブル３０の導体３３とを簡単かつ確実に接続することができると共に、接続状態を目視により確認することができる。
【００２９】
次いで、図４に示すように導体引出棒２の端末部２ｄと電力ケーブル３０の導体３３との接続部３４に導電性のテープ１７を巻回してエポキシ座５の下部５ｃ及び電力ケーブル３０の絶縁部材３２と同じ外径にする。尚、エポキシ座５の下部５ｃと電力ケーブル３０の絶縁部材３２は、略同じ外径とされている。
【００３０】
次いで、図５に示すようにゴムユニット１１を接続部３４に移動させて位置決めした後拡径部材１５を取り外して密着させる。エポキシ座５の下部５ｃと接続部３４と電力ケーブル３０の絶縁部材３２とが略同じ外径とされていることで、ゴムユニット１１の挿通孔１１ａの内面がこれらの外周面に均等の弾性力で良好に密着する。
【００３１】
これにより、導体引出棒２と電力ケーブル３０との接続部３４及びその両側のエポキシ座５の下部５ｃと電力ケーブル３０の絶縁部材３２の端末が完全に被覆されて絶縁される。そして、ゴムユニット１１の位置決めやその後の配置状態を目視により確認することができ、正確な位置決め及び確実な絶縁を行うことができる。
【００３２】
次いで、図６に示すように金属管１８によりゴムユニット１１を覆い、フランジ１８ｂを取付金具４に図示しないボルトで固定し、他側端部１８ｃと電力ケーブル３０のビニルシース３１の端末に防水テープ１９を巻回して密封する。このようにして、電力ケーブル３０に導体引出棒２の下端部２ｃを接続固定する。
【００３３】
一方、図示しない例えば、電力を受ける側の電力ケーブルは、その導体（心線）に導体固定端子が接続されており、この導体固定端子が導体引出棒２の上端部２ｂに接続される。このようにして、気中終端接続箱１により電力ケーブル同士が接続される。
【００３４】
気中終端接続箱１は、端末本体３がシリコーンゴム部材からなる絶縁部材により形成されていることで磁器製のものと比べて大幅に軽量化が図られると共に、上部３ａが小径の円筒形状とされ、下部３ｂが電界緩和機構６を内蔵する大径の円筒形状とされていることで重心が下部に位置しており、支持架台５２への支持が有利であり、更に風雪や振動特に地震等の揺れに対して強い構造となっている。また、襞部３ｆ，３ｇの破損等が防止され取り扱いが容易である。更に絶縁油を使用していないために取付角度の制約もなく施工性が向上する。更に、導体引出棒２と電力ケーブル３０の導体との接続部の部品点数が少なく、施工が容易である。
【図面の簡単な説明】
【００３５】
【図１】本発明に係わる気中終端接続箱の一側に電力ケーブルを接続した状態の側面図である。
【図２】図１に示した気中終端接続箱の断面図である。
【図３】図２に示した気中終端接続箱の導体引出棒の下端部に電力ケーブルの導体を接続する場合の説明図である。
【図４】図３に示した導体引出棒の下端部と電力ケーブルの導体との接続部に導電性のテープを巻回した説明図である。
【図５】図４に示した導体引出棒の下端部と電力ケーブルとの接続部に絶縁用のゴムユニットを装着した説明図である。
【図６】図５に示した導体引出棒の下端部と電力ケーブルとの接続部に装着したゴムユニットを保護用の金属管で覆った説明図である。
【符号の説明】
【００３６】
１    気中終端接続箱
２    導体引出棒
２ａ    中央部
２ｂ    上端部
２ｃ    下端部
２ｄ    端末部
２ｅ    導体挿入孔
３    端末本体
３ａ    上部（小径円筒部）
３ｂ    下部（大径円筒部）
３ｃ    上端部
３ｄ    下端部
３ｅ    連設部
３ｆ，３ｇ    襞部
４    取付金具
４ａ    孔
４ｂ，４ｃ    フランジ
４ｄ    ボルト挿通孔
５    エポキシ座
５ａ    上部
５ｂ    中央部
５ｃ    下部
６    電界緩和機構
１１    ゴムユニット
１１ａ    挿通孔
１２    内部半導電層
１３    絶縁ゴム層
１４    導電性ゴム層
１５    拡径部材
１５ａ    端末
１７    導電性のテープ
１８    金属管
１８ａ，１８ｄ    開口部
１８ｂ    フランジ
１８ｃ    端部
１９    防水テープ
３０    電力ケーブル
３１  ビニルシース
３２    絶縁部材
３３    導体（心線）
３４    接続部
５１    支持碍子
５２    支持架台
【図１】
2007151298.tif 000003
【図２】
2007151298.tif 000004
【図３】
2007151298.tif 000005
【図４】
2007151298.tif 000006
【図５】
2007151298.tif 000007
【図６】
2007151298.tif 000008